(57)【要約】【課題】構造がシンプルで、開閉機能を有するブローアウトパネルを提供することができる。【解決手段】ブローアウトパネル１は、建造物２の開口部２ａを開閉する開閉体である。ブローアウトパネル１は、上端部に、ブローアウトパネル１を建造物２に対して回動自在に連結するするヒンジ部５を備えている。ブローアウトパネル１の重心Ｃ１の位置は、ヒンジ部５の回動軸５１の鉛直線Ｖ上の下方から開口部２ａの屋外方向に離間した位置に配置されている。開口部２ａは、ブローアウトパネル１の自重によって閉塞される。【選択図】図１
2020165740.tif 000002
【特許請求の範囲】
【請求項１】
建造物の開口部を開閉するブローアウトパネルであって、
前記ブローアウトパネルは、上端部に、当該ブローアウトパネルを前記建造物に対して回動自在に連結するするヒンジ部を備え、
前記ブローアウトパネルの重心の位置は、前記ヒンジ部の回動軸の鉛直線上の下方から前記開口部の屋外方向に離間した位置に配置されて、
前記開口部は、前記ブローアウトパネルの自重によって閉塞されること
を特徴とするブローアウトパネル。
【請求項２】
前記開口部の屋外側の外周面は、側面視して、下側に向かって屋外方向に傾斜していること
を特徴する請求項１に記載のブローアウトパネル。
【請求項３】
前記ブローアウトパネルは、前記開口部の屋外側の外周面に当接する当接面を有し、
前記当接面が配置されている前記ブローアウトパネルの屋外側は、側面視して、下側に向かって屋外方向に傾斜していること
を特徴する請求項１に記載のブローアウトパネル。
【請求項４】
前記ブローアウトパネルは、前記開口部の屋外側の外周面に当接する当接面と、
前記ブローアウトパネルの屋外側表面の下側寄りの位置に設けられた錘と、
を有していること
を特徴とする請求項１に記載のブローアウトパネル。
【請求項５】
前記開口部の屋外側の外周面、または、当該外周面に当接する前記ブローアウトパネルの当接面には、シール材が設けられていること
を特徴とする請求項２ないし請求項４のいずれか１項に記載のブローアウトパネル。
【発明の詳細な説明】
【技術分野】
【０００１】
本発明は、建造物の開口部を開閉するブローアウトパネルに関する。
【背景技術】
【０００２】
従来から、原子力施設では、建造物内で何らかの事故によって屋内の内圧が上昇した場合、建造物の開口部を閉塞しているブローアウトパネル（閉止パネル）を開放させるブローアウト装置を備えたものが知られている（例えば、特許文献１参照）。
【０００３】
特許文献１に記載のブローアウト装置は、閉止パネルと、建造物の内圧を検出する圧力計と、圧力計が所定値以上になったときに破壊される固定装置と、閉止パネルに設けられたワイヤと、ワイヤの他端を巻き取るパネル復旧装置と、を備えている。そのブローアウト装置は、閉止パネルを固定する固定装置が破損することで、閉止パネルが転倒して開放されるように構成されている。
【０００４】
また、そのブローアウト装置のパネル復旧装置は、建屋の内部圧力を測定する圧力計の測定値を受けてワイヤの他端を巻き取ることで、閉止パネルによって建屋の開口部を閉塞するように構成されている。
【先行技術文献】
【特許文献】
【０００５】
【特許文献１】特開２００９−１２１９１７号公報（図１）
【発明の概要】
【発明が解決しようとする課題】
【０００６】
しかし、特許文献１に記載のブローアウト装置は、大きな地震が発生した場合、ワイヤが破断したり、パネル復旧装置や固定装置が故障したりして、閉止パネルを開閉することができなくなるおそれがあった。
【０００７】
このようなことから、ワイヤや、圧力計や、パネル復旧装置や、固定装置等の装置を具備せずに、大きな地震があっても影響を受けないシンプルな構造の開閉機能を有するブローアウトパネルが要望されている。
【０００８】
そこで、本発明は、前記課題を解決するためになされたものであり、構造がシンプルで、開閉機能を有するブローアウトパネルを提供することを目的としている。
【課題を解決するための手段】
【０００９】
本発明は、建造物の開口部を開閉するブローアウトパネル（の閉止構造）であって、前記ブローアウトパネルは、上端部に、当該ブローアウトパネルを前記建造物に対して回動自在に連結するするヒンジ部を備え、前記ブローアウトパネルの重心の位置は、前記ヒンジ部の回動軸の鉛直線上の下方から前記開口部の屋外方向に離間した位置に配置されて、前記開口部は、前記ブローアウトパネルの自重によって閉塞されることを特徴とする。
【発明の効果】
【００１０】
本発明によれば、構造がシンプルで、開閉機能を有するブローアウトパネルを提供することができる。
【図面の簡単な説明】
【００１１】
【図１】本発明の実施形態に係るブローアウトパネルの一例を示す一部断面を有する概略側面図である。
【図２】窓枠に配置されたブローアウトパネルの設置状態を示す要部概略斜視図である。
【図３】窓枠に配置されたブローアウトパネルが開放されたときの状態を示す要部概略斜視図である。
【図４】本発明の実施形態に係るブローアウトパネルの第１変形例を示す一部断面を有する概略側面図である。
【図５】本発明の実施形態に係るブローアウトパネルの第２変形例を示す一部断面を有する概略側面図である。
【発明を実施するための形態】
【００１２】
図１〜図３を参照して本発明の実施形態に係るブローアウトパネル１（その構造）の一例を説明する。
まず、ブローアウトパネル１を説明する前に、ブローアウトパネル１が設置される建造物２、窓枠３、シール材４、ヒンジ部５を説明する。
【００１３】
＜建造物＞
図１に示す建造物２は、例えば、原子炉関連施設の原子炉建屋である。建造物２の壁部２１には、建造物２内を換気するための複数の開口部２ａが形成されている。壁部２１は、建造物２の屋内側と、屋外側とを仕切る躯体である。
【００１４】
＜開口部＞
開口部２ａは、ブローアウトパネル１が外れたときに形成される開口である。開口部２ａは、建造物２内の内圧を低下させたり、建造物２内を換気させたりするための開口である。開口部２ａは、例えば、壁部２１を貫通して形成された正面視して四角形の貫通孔からなる。開口部２ａは、例えば、壁部２１に設けられた窓枠３によって形成されている。
ここで、建造物２内の内圧とは、建造物２内に設けられた適宜な部屋内の空気圧、あるいは、建造物２の外壁の内側内に設けられた部屋内の空気圧（以下適宜「圧力」という）をいう。
【００１５】
＜窓枠＞
窓枠３は、開口部２ａを形成するための四角形の金属製枠形状部材である。窓枠３は、壁部２１に形成された窓枠取付孔に嵌め込んで固定されている。窓枠３には、シール材４と、ヒンジ部５と、が設けられている。
【００１６】
図２に示すように、窓枠３において、上辺フレーム部３１の前後方向の幅Ｌ１は、下辺フレーム部３２の前後方向の幅Ｌ２より短く形成されている。これと同様に、窓枠３の側辺フレーム部３３は、上辺の前後方向の長さＬ１が、下辺の前後方向の長さＬ２よりも短く形成されている。
【００１７】
このため、窓枠３の屋外側の外周面３ａは、図１及び図２に示すように、側面視して、下側に向かって屋外方向に傾斜している。窓枠３の屋外側の外周面３ａ全体には、ゴム製、あるいは、合成ゴム製のシール材４が設けられている。
【００１８】
＜シール材＞
シール材４は、窓枠３の屋外側の外周面３ａと、ブローアウトパネル１の当接面１ａと、が当接して開口部２ａを閉塞した際に、隙間無く密着するように当接して気密性を高めるための部材である。シール材４は、四角形の枠板状のパッキン、ガスケット等からなる。
【００１９】
＜ヒンジ部＞
ヒンジ部５は、ブローアウトパネル１を建造物２に対して回動自在に連結するための蝶番の機能を有する部材である。ヒンジ部５は、ブローアウトパネル１の左右上端部にそれぞれ突設された回動軸５１と、窓枠３の左右の側辺フレーム部３３の上部外側から屋外方向に向けて突設されて、回動軸５１を回動自在に軸支する軸受部５２と、を備えている。
【００２０】
＜ブローアウトパネル＞
ブローアウトパネル１は、建造物２の開口部２ａを開放して屋内の内圧を低下させたり、屋内の物質が外部に漏出するのを防止するために遮断したりする開閉体（扉体）である。図３に示すように、ブローアウトパネル１は、正面視して四角形の厚板状部材からなる。ブローアウトパネル１は、例えば、スチール、ステンレス鋼等の金属、あるいは、カーボン複合材によって形成されている。
【００２１】
図１に示すように、ブローアウトパネル１は、平常時、側面視して、下側に向かって屋外方向に傾斜している側辺フレーム部３３の屋外側の外周面３ａに当接して、斜めに配置されている。このため、ブローアウトパネル１の重心Ｃ１の位置は、ヒンジ部５の回動軸５１の鉛直線Ｖ上の下方から開口部２ａの屋外方向（前方向）に離間した位置に配置されて、開口部２ａを閉塞した状態に配置されている。
【００２２】
≪ブローアウトパネルの作用≫
次に、図１〜図３を参照しながら本発明の実施形態に係るブローアウトパネル１の作用を説明する。
【００２３】
図１に示すように、窓枠３の側辺フレーム部３３は、上辺の前後方向の長さＬ１は、下辺の前後方向の長さＬ２よりも短く形成されていることで、窓枠３の屋外側の外周面３ａが、側面視して、下側に向かって屋外方向に傾斜している。
【００２４】
このため、窓枠３の屋外側の外周面３ａに当接した状態に配置されるブローアウトパネル１の重心Ｃ１の位置は、ヒンジ部５の回動軸５１の鉛直線Ｖ上の下方から開口部２ａの屋外方向（前方向）に離間した位置に偏心している。その結果、ブローアウトパネル１は、建造物２の屋内の内圧が平常時の状態の場合、自重によるモーメントＭ１によって、開口部２ａを閉塞した状態に配置されている。
【００２５】
このように、ブローアウトパネル１は、窓枠３の屋外側の外周面３ａによって斜めに配置されている。このため、ブローアウトパネル１は、自重によるモーメントＭ１が、回動軸５１を中心として開口部２ａを閉塞する方向に働き、開口部２ａを閉塞している。
【００２６】
そして、建造物２内の内圧が図１に示すモーメントＭ１の力を超えたときに、ブローアウトパネル１は、建造物２内の内圧によって押し開けられる。建造物２内の内圧が、モーメントＭ１の力よりも低下すると、ブローアウトパネル１は、自重によって開口部２ａを自動的に閉塞する。
このため、本発明は、特別な開閉装置や、センサや、動力装置や、電源を備えずにして、ブローアウトパネル１自体が開閉機能を有しているため、構造がシンプルで故障の無い安価な開閉装置を提供することができる。
【００２７】
このように、本発明は、図１に示すように、建造物２の開口部２ａを開閉するブローアウトパネル１であって、ブローアウトパネル１は、上端部に、当該ブローアウトパネル１を建造物２に対して回動自在に連結するするヒンジ部５を備え、ブローアウトパネル１の重心Ｃ１の位置は、ヒンジ部５の回動軸５１の鉛直線Ｖ上の下方から開口部２ａの屋外方向に離間した位置に配置されて、開口部２ａは、ブローアウトパネル１の自重によって閉塞される。また、自重によって、閉塞方向に付勢される。
【００２８】
かかる構成すれば、ブローアウトパネル１は、重心Ｃ１が、ヒンジ部５の回動軸５１の鉛直線Ｖ上の下方から開口部２ａの屋外方向に離間した位置にあることで、特別な開閉装置を設けずに、自重によるモーメントＭ１で、開口部２ａを閉塞することができる。このため、本発明は、構造がシンプルで、開口部２ａを開閉する開閉機能を有するブローアウトパネル１を提供することができる。
【００２９】
また、図１及び図３に示すように、開口部２ａの屋外側の外周面３ａは、側面視して、下側に向かって屋外方向に傾斜している。
【００３０】
かかる構成によれば、開口部２ａの屋外側の外周面３ａは、下側に向かって屋外方向に傾斜していることで、ブローアウトパネル１を回動軸５１の鉛直線Ｖに対して斜めに配置することができる。このため、ブローアウトパネル１は、常に開口部２ａを閉塞する方向に自重によるモーメントＭ１が働くように（閉塞方向に付勢するように）配置することができる。これにより、意図せずに、ブローアウトパネル１が開くことを防止できる。
【００３１】
また、図１及び図３に示すように、開口部２ａの屋外側の外周面３ａ、または、当該外周面３ａに当接するブローアウトパネル１の当接面１ａには、シール材４が設けられている。
【００３２】
かかる構成によれば、シール材４が開口部２ａの屋外側の外周面３ａ、または、ブローアウトパネル１の当接面１ａに設けられていることで、開口部２ａを密閉状態に閉塞することができる。
【００３３】
［第１変形例］
なお、本発明は、前記実施形態に限定されるものではなく、その技術的思想の範囲内で種々の改造及び変更が可能であり、本発明はこれら改造及び変更された発明にも及ぶことは勿論である。なお、以下の変形例において、既に説明した構成は同じ符号を付してその説明を省略する。
図４は、本発明の実施形態に係るブローアウトパネル１Ａの第１変形例を示す概略縦断面図である。
【００３４】
前記実施形態では、図１に示すように、開閉機能を有するブローアウトパネル１の一例として、窓枠３の屋外側の外周面３ａを傾斜面にして、ブローアウトパネル１を斜めに配置した場合を説明したが、これに限定されるものではない。
【００３５】
本発明は、図４に示す第１変形例のように、ブローアウトパネル１Ａは、開口部２ａの屋外側の外周面３Ａａに当接する当接面１Ａａを有し、当接面１Ａａが配置されているブローアウトパネル１Ａの屋外側は、側面視して、下側に向かって屋外方向に傾斜していてもよい。
【００３６】
この場合、窓枠３Ａは、上下左右の辺のフレーム部の前後方向の幅が均一な平板状部材によって形成されている。開口部２ａは、その窓枠３Ａによって形成されている。窓枠３Ａの屋外側の外周面３Ａａは、垂直に形成されて、シール材４を介在してブローアウトパネル１Ａが密閉された状態に配置されている。ブローアウトパネル１Ａの屋外側は、側面視して、下側に向かって屋外方向に傾斜している。このため、ブローアウトパネル１Ａの前後方向の幅は、下側に向かって拡幅するように形成されている。
【００３７】
かかる構成によれば、ブローアウトパネル１Ａは、当接面１Ａａが配置されている屋外側は、側面視して、下側に向かって屋外方向に傾斜していることで、ブローアウトパネル１Ａの重心Ｃ２が鉛直線Ｖ上の下側から屋外側に配置される。このため、ブローアウトパネル１Ａは、自重によるモーメントＭ２によって、開口部２ａを閉塞する閉方向の回動力が常に働いているので、開口部２ａを閉塞する機能を有している。ブローアウトパネル１Ａは、重心Ｃ２の関係で、重心Ｃ２が鉛直線Ｖと一致するように、屋内側に回動しようとするが、開口部２ａと当接することで、回動が阻止され、閉塞方向への付勢力が常に発生する。
【００３８】
［第２変形例］
図５は、本発明の実施形態に係るブローアウトパネル１Ｂの第２変形例を示す一部断面を有する概略側面図である。
【００３９】
また、本発明は、図５に示す第２変形例のように、ブローアウトパネル１Ｂは、開口部２ａの屋外側の外周面２Ｂｂに当接する当接面１Ｂａと、ブローアウトパネル１Ｂの屋外側表面の下側寄りの位置に設けられた錘７と、を有しているものであってもよい。
【００４０】
この場合、前記実施形態及び第１変形例で説明した窓枠３，３Ａは無くてもよい。つまり、本発明において、建造物２の壁部２１には、開口部２ａがあれば、窓枠３は無くてもよい。開口部２ａは、直接、壁部２１に形成してもよい。
【００４１】
図５に示すように、壁部２１の開口部２ａの屋外側の外周面２Ｂｂには、シール材４を介在してブローアウトパネル１Ｂが配置されている。ブローアウトパネル１Ｂの上端部は、開口部２ａの屋外側の外周面２Ｂｂの上部に設けられたヒンジ部５によって、回動軸５１を中心として回動自在に配置されている。
【００４２】
ブローアウトパネル１Ｂは、平板状部材からなる。ブローアウトパネル１Ｂの屋外側表面の下側寄りの位置には、ブローアウトパネル１Ｂの重心Ｃ３を、回動軸５１の鉛直線Ｖ上の下方から開口部２ａの屋外方向に離間した位置になるようにするための錘７が取り付けられている。その錘７の形状及び材質等は特に限定されない。錘７は、ブローアウトパネル１Ｂに一体形成したものでも、取り付けたものでもよい。
【００４３】
かかる構成によれば、ブローアウトパネル１Ｂは、屋外側表面の下側寄りの位置に錘７を設けていることで、ブローアウトパネル１Ｂの重心Ｃ３が回動軸５１の鉛直線Ｖ上の下側から屋外方向に配置することができる。このため、ブローアウトパネル１Ｂは、錘７の重さにより、開口部２ａを閉塞する方向にモーメントＭ３が働くので、ブローアウトパネル１Ｂ自体よって開口部２ａを閉塞する機能を備えている。
【００４４】
開口部２ａを閉塞しているブローアウトパネル１Ｂは、建造物２の内圧がモーメントＭ３の力を超える大きさになると、その内圧によって回動軸５１を中心として屋外方向に回動し、開口部２ａを開放して建造物２の内圧を低下させる。そして、建造物２の内圧がモーメントＭ３の力よりも低下すると、ブローアウトパネル１Ｂは、モーメントＭ３の力によって開口部２ａを自動的に閉塞する。
【００４５】
［その他の変形例］
なお、窓枠３は、建造物２に開口部２ａを形成するものであればよく、壁部２１から屋外に離間した位置に配置される出窓状のものであってもよい。
また、シール材４は、窓枠３の屋外側の外周面３ａが当接するブローアウトパネル１の当接面１ａに設けてもよい。また、シール材４は、パッキン、ガスケットに限定されず、シール性を有するものであればよく、例えば、Ｏリング等であってもよい。
【００４６】
また、前記したヒンジ部５の回動軸５１には、図１、図４及び図５に示すブローアウトパネル１，１Ａ，１Ｂを、開方向または閉方向に回動させるバネ力を有するバネ部材を配置してもよい。
【符号の説明】
【００４７】
１，１Ａ，１Ｂ  ブローアウトパネル
１ａ，１Ａａ，１Ｂａ  当接面
２      建造物
２ａ    開口部
３，３Ａ  窓枠
３ａ，２Ｂｂ，３Ａａ  屋外側の外周面
４      シール材
５      ヒンジ部
７      錘
２１    壁部
５１    回動軸
Ｃ１，Ｃ２，Ｃ３  ブローアウトパネルの重心
Ｖ      鉛直線
【図１】
2020165740.tif 000003
【図２】
2020165740.tif 000004
【図３】
2020165740.tif 000005
【図４】
2020165740.tif 000006
【図５】
2020165740.tif 000007